(57)【要約】【課題】  画像データの出所に基づいて、情報の漏洩を抑止する【解決手段】  照合部２０４は、送信元番号特定部２０２により特定されたＦＡＸ番号と送信元番号データベース３に含まれるＦＡＸ番号とを照合することにより、受信したＦＡＸ番号が送信元番号データベース３に含まれるＦＡＸ番号と合致するか否かを判定する。照合部２０４が出力した照合結果がＦＡＸ番号の合致を示すものである場合、出力画像形成部２０６は、通信装置１０８から受入れた画像データに応じて出力画像を形成し、ＵＩ装置１００の表示装置又は印刷装置１０６に対して出力する。また、照合部２０４が出力した照合結果がＦＡＸ番号の合致を示すものでない場合には、出力画像形成部２０６は、通信装置１０８から受入れた画像データを消去部２０８に対して出力する。【選択図】          図４
2006261751.tif 000002
【特許請求の範囲】
【請求項１】
画像データ及びこの画像データの出所を識別する識別データを取得するデータ取得手段と、所定の識別データを記憶する記憶手段と、前記データ取得手段が取得した識別データと前記記憶手段が記憶する識別データとを照合する照合手段と、画像データに応じて画像を出力する画像出力手段と、前記照合手段が照合した結果に応じて前記画像出力手段による画像の出力を制御する出力制御手段とを有することを特徴とする画像処理装置。
【請求項２】
前記照合手段が照合した結果、前記データ取得手段が取得した識別データと前記記憶手段が記憶する識別データとが合致しない場合、前記出力制御手段は、その旨を示す画像を前記画像出力手段が出力するよう制御することを特徴とする請求項１記載の画像処理装置。
【請求項３】
前記データ取得手段が取得した識別データから画像データの出所を識別する識別手段をさらに有し、前記データ取得手段が取得した識別データを前記識別手段が識別した結果、画像データの出所が所定の属性の装置である場合、前記出力制御手段は、その旨を示す画像を前記画像出力手段が出力するよう制御することを特徴とする請求項１又は２記載の画像処理装置。
【請求項４】
画像データ及びこの画像データの出所を識別する識別データを取得し、取得した識別データと記憶手段が記憶する識別データとを照合し、照合した結果に応じて画像を出力することを特徴とする画像処理方法。
【請求項５】
画像データ及びこの画像データの出所を識別する識別データを取得ステップと、取得した識別データと記憶手段が記憶する識別データとを照合ステップと、照合した結果に応じて画像を出力するステップとをコンピュータに実行させるプログラム。
【発明の詳細な説明】
【技術分野】
【０００１】
本発明は、画像を出力する画像処理装置に関するものである。
【背景技術】
【０００２】
機密情報を含む画像を出力する場合に、機密を守るべき範囲外に機密情報が漏洩することを抑止する画像処理システムが知られている。この種の画像処理システムにおいて、ユーザの認証情報と暗号化された画像データとを転送し、転送されたユーザの認証情報を照合した結果に応じて暗号化された画像データを復号化することにより、機密保持が必要なデータが漏洩する危険性を低減することは公知である（特許文献１参照）。
【０００３】
【特許文献１】特開２００３−５９３９号公報
【発明の開示】
【発明が解決しようとする課題】
【０００４】
しかしながら、上記従来例においては、画像データを送信するユーザが認証されると、送信元である装置又は場所などにより特定される画像データの出所にかかわらず情報が転送されてしまうという問題があった。
【０００５】
そこで、本発明は、画像データの出所に基づいて、情報の漏洩を抑止することができる画像処理装置、画像処理方法及びそのプログラムを提供することを目的とする。
【課題を解決するための手段】
【０００６】
上記目的を達成するため、本発明の第１の特徴とするところは、画像データ及びこの画像データの出所を識別する識別データを取得するデータ取得手段と、所定の識別データを記憶する記憶手段と、前記データ取得手段が取得した識別データと前記記憶手段が記憶する識別データとを照合する照合手段と、画像データに応じて画像を出力する画像出力手段と、前記照合手段が照合した結果に応じて前記画像出力手段による画像の出力を制御する出力制御手段とを有する画像処理装置にある。したがって、識別データにより識別される画像データの出所が記憶手段に記憶されている識別データと異なる場合に、画像の出力を制御することができるので、画像データの出所に基づいて、情報の漏洩を抑止することができる。
【０００７】
好適には、前記照合手段が照合した結果、前記データ取得手段が取得した識別データと前記記憶手段が記憶する識別データとが合致しない場合、前記出力制御手段は、その旨を示す画像を前記画像出力手段が出力するよう制御する。
【０００８】
また、好適には、前記データ取得手段が取得した識別データから画像データの出所を識別する識別手段をさらに有し、前記データ取得手段が取得した識別データを前記識別手段が識別した結果、画像データの出所が所定の属性の装置である場合、前記出力制御手段は、その旨を示す画像を前記画像出力手段が出力するよう制御する。
【０００９】
また、本発明の第２の特徴とするところは、画像データ及びこの画像データの出所を識別する識別データを取得し、取得した識別データと記憶手段が記憶する識別データとを照合し、照合した結果に応じて画像を出力する画像処理方法にある。
【００１０】
また、本発明の第３の特徴とするところは、画像データ及びこの画像データの出所を識別する識別データを取得ステップと、取得した識別データと記憶手段が記憶する識別データとを照合ステップと、照合した結果に応じて画像を出力するステップとをコンピュータに実行させるプログラムにある。
【発明の効果】
【００１１】
本発明によれば、画像データの出所に基づいて、情報の漏洩を抑止することができる。
【発明を実施するための最良の形態】
【００１２】
次に、本発明の実施形態を図面に基づいて説明する。
図１は、画像処理システム１の概要を示す構成図である。画像処理システム１は、例えば隔離された空間である事業所５内に配置された画像処理装置１０、サーバ１２、ＰＣ（パーソナルコンピュータ）１４及び電子錠１６と、事業所５外に配置され、通信回線網（ネットワーク）６を介して画像処理装置１０に接続される画像処理装置１８とを有する。
【００１３】
画像処理装置１０は、例えばファクシミリ（ＦＡＸ）、プリンタ及び複写機等の機能を有する複合機（ＭＦＰ）である。画像処理装置１０は、ＰＣ１４などからの印刷指示に応じて用紙などの記録媒体に画像を印刷すると共に、例えばＰＣ１４などから入力された画像（画像データ）、及び送信元番号通知信号をＦＡＸ機能により通信回線網６を介して画像処理装置１８に対し送信する。
【００１４】
サーバ１２は、図示しないＣＰＵ及びメモリなどを有し、画像処理装置１０及び電子錠１６に対する処理を行う。電子錠１６は、事業所５の出入り口５０に設けられた扉５００に対して、サーバ１２の処理に応じて施錠及び開錠を行うようにされている。電子錠１６は、ユーザが事業所５に対して入退室しようとする場合、例えば図示しない無線のＩＤカード読取り装置を用いたユーザの認証が成功することにより開錠するようにされている。また、電子錠１６は、ユーザが事業所５に対して入退室した後には施錠するようにされている。
【００１５】
画像処理装置１８は、例えば画像処理装置１０と同様にファクシミリ（ＦＡＸ）、プリンタ及び複写機等の機能を有する複合機（ＭＦＰ）であり、画像処理装置１０から送信された画像などを通信回線網６を介して受信する。
通信回線網６は、例えばＦＡＸ信号を伝送するネットワークであり、ＦＡＸ信号として画像データと共に送信元番号通知信号（データ）を伝送することができるようにされている。ただし、通信回線網６は、ＦＡＸ信号として画像データを送信する場合、送信元番号通知信号を送信元から送信先に伝送しないようにすることもできるようにされている。なお、ＦＡＸ信号として画像データと共に伝送される送信元番号通知信号は、送信元に固有の信号であり、例えば画像処理装置１０は、画像処理装置１０に固有の送信元番号通知信号を画像データと共に画像処理装置１８に対して送信する。
【００１６】
次に、画像処理装置１０，１８の詳細について説明する。
図２は、画像処理装置１０，１８の構成を示す構成図である。画像処理装置１０は、表示装置及びキーボードなどを含むユーザインタフェース装置（ＵＩ装置）１００、スキャナなどの画像読取り装置１０２、ＨＤＤ・ＣＤ装置などの記憶装置１０４、印刷装置１０６、ＦＡＸモデム及びＬＡＮポートなど複数のネットワークインターフェイスを具備する通信装置１０８並びに制御装置２などから構成される。制御装置２は、ＣＰＵ２０及びメモリ２２などを含み、画像処理装置１０を構成する各部を制御する。記憶装置１０４には、画像処理装置１０がＦＡＸとして動作する場合のＦＡＸ番号（送信元）データが記憶されている。このように、画像処理装置１０は、コンピュータとしての機能を有し、記憶媒体１１０又は通信装置１０８を介して供給されるソフトウェアに応じて動作し、例えばＦＡＸとしてユーザに使用される。
【００１７】
画像処理装置１８は、例えば図２に示した画像処理装置１０と略同様のハードウェア構成（図２）にされている。つまり、画像処理装置１８は、コンピュータとしての機能を有し、記憶媒体１１０又は通信装置１０８を介して供給されるソフトウェアに応じて動作し、例えばＦＡＸとしてユーザに使用される。
【００１８】
図３は、画像処理装置１８の記憶装置１０４に記憶されている送信元番号データベース３の構成を示す構成図である。
図３に示すように、送信元番号データベース３は、ＦＡＸ通信の適正な送信元である複数のＦＡＸ番号から構成される。
【００１９】
図４は、画像処理装置１８がＦＡＸとして動作する場合に、制御装置２により実行される画像処理ソフトウェア２００の構成を示すプログラム構成図である。
図４に示すように、画像処理ソフトウェア２００は、送信元番号特定部２０２、照合部２０４、出力画像形成部２０６及び消去部２０８を有し、照合部２０４が送信元番号データベース３にアクセスするようになっている。送信元番号特定部２０２は、通信装置１０８から送信元番号通知信号を受け入れ、送信元のＦＡＸ番号を特定して照合部２０４に対し出力する。
【００２０】
照合部２０４は、送信元番号特定部２０２から入力されたＦＡＸ番号（受信したＦＡＸ番号）と送信元番号データベース３に含まれるＦＡＸ番号とを照合することにより、受信したＦＡＸ番号が送信元番号データベース３に含まれるＦＡＸ番号と合致するか否かを判定し、照合結果として出力画像形成部２０６に対し出力する。出力画像形成部２０６は、照合部２０４から入力される照合結果に応じて、通信装置１０８から受入れた画像データを処理する。例えば照合部２０４が出力した照合結果がＦＡＸ番号の合致を示すものである場合、出力画像形成部２０６は、通信装置１０８から受入れた画像データに応じて出力画像を形成し、ＵＩ装置１００の表示装置又は印刷装置１０６に対して出力する。また、照合部２０４が出力した照合結果がＦＡＸ番号の合致を示すものでない場合には、出力画像形成部２０６は、通信装置１０８から受入れた画像データを消去部２０８に対して出力する。消去部２０８は、出力画像形成部２０６から入力された画像データを消去する。
【００２１】
次に、画像処理装置１８がＦＡＸ機能により画像データを受信して画像を出力する処理について説明する。
図５は、画像処理装置１８がＦＡＸ機能により画像データを受信して画像を出力する処理の第一例（Ｓ１０）を示すフローチャートである。
図５に示すように、ステップ１００（Ｓ１００）において、画像処理装置１８は、通信装置１０８を介して画像データ及び送信元番号通知信号を受信する。
【００２２】
ステップ１０２（Ｓ１０２）において、送信元番号特定部２０２は、通信装置１０８から送信元番号通知信号を受け入れ、送信元のＦＡＸ番号を特定して照合部２０４に対し出力する。
【００２３】
ステップ１０４（Ｓ１０４）において、照合部２０４は、受信したＦＡＸ番号が送信元番号データベース３に含まれるＦＡＸ番号と合致する（送信元番号データベース３に有る）か否かを判定し、合致する場合にはＳ１０６の処理に進み、合致しない場合にはＳ１０８の処理に進む。
【００２４】
ステップ１０６（Ｓ１０６）において、制御装置２は、出力画像形成部２０６により画像データに対応する出力画像を形成し、印刷装置１０６などを介して出力する。
【００２５】
ステップ１０８（Ｓ１０８）において、消去部２０８は、画像データを消去する。
【００２６】
図６において、画像処理装置１８がＦＡＸ機能により画像データを受信して画像を出力する処理の第二例（Ｓ２０）が示されている。
図６に示すように、ステップ２００（Ｓ２００）において、画像処理装置１８は、通信回線網６を介して送信されたデータを通信装置１０８により受信する。
【００２７】
ステップ２０２（Ｓ２０２）において、制御装置２は、Ｓ２００の処理において受信したデータに画像データと送信元番号通知信号とが有るか否かを判断し、送信元番号通知信号が無い場合にはＳ２０４の処理に進み、送信元番号通知信号がある場合にはＳ２０６の処理に進む。
【００２８】
ステップ２０４（Ｓ２０４）において、制御装置２は、印刷装置１０６を介して送信元番号が不明である旨を記録媒体に印刷する。
【００２９】
ステップ２０６（Ｓ２０６）において、照合部２０４は、受信したＦＡＸ番号が送信元番号データベース３に含まれるＦＡＸ番号と合致するか否かを判定し、合致する場合には照合結果が適正であると判断してＳ２０８の処理に進み、合致しない場合には照合結果が不適正で有ると判断してＳ２１０の処理に進む。
【００３０】
ステップ２０８（Ｓ２０８）において、制御装置２は、例えば印刷装置１０６を介して記録媒体に画像データに対応する画像を印刷する。
【００３１】
ステップ２１０（Ｓ２１０）において、制御装置２は、印刷装置１０６を介して照合結果が不適正である旨を示す画像を記録媒体に印刷する。例えば、受信したＦＡＸ番号が送信元番号データベース３に含まれるＦＡＸ番号と合致しない場合には、制御装置２は、印刷装置１０６を介して受信したＦＡＸ番号が送信元番号データベース３に含まれるＦＡＸ番号と合致しない旨を示す画像を記録媒体に印刷する。また、受信したＦＡＸ番号が例えば公衆電話（公衆ＦＡＸ）を示すものである場合には、制御装置２は、印刷装置１０６を介して受信したＦＡＸ番号が公衆電話（公衆ＦＡＸ）である旨を示す画像を記録媒体に印刷する。
【図面の簡単な説明】
【００３２】
【図１】画像処理システムの概要を示す構成図である。
【図２】画像処理装置の構成を示す構成図である。
【図３】画像処理装置の記憶装置に記憶されている送信元番号データベースの構成を示す構成図である。
【図４】画像処理装置がＦＡＸとして動作する場合に、制御装置により実行される画像処理ソフトウェアの構成を示すプログラム構成図である。
【図５】画像処理装置がＦＡＸ機能により画像データを受信して画像を出力する処理の第一例（Ｓ１０）を示すフローチャートである。
【図６】画像処理装置がＦＡＸ機能により画像データを受信して画像を出力する処理の第二例（Ｓ２０）を示すフローチャートである。
【符号の説明】
【００３３】
１・・・画像処理システム
１０，１８・・・画像処理装置
１００・・・ＵＩ装置
１０２・・・画像読取り装置
１０４・・・記憶装置
１０６・・・印刷装置
１０８・・・通信装置
２・・・制御装置
２００・・・画像処理ソフトウェア
２０２・・・送信元番号特定部
２０４・・・照合部
２０６・・・出力画像形成部
２０８・・・消去部
３・・・送信元番号データベース
５・・・事業所
６・・・通信回線網
【図１】
2006261751.tif 000003
【図２】
2006261751.tif 000004
【図３】
2006261751.tif 000005
【図４】
2006261751.tif 000006
【図５】
2006261751.tif 000007
【図６】
2006261751.tif 000008